(57)【要約】【課題】従来のシャツなどの上着胸部に設ける使用勝手を重視した上方開口のポケットは、体の傾斜に合せてポケットが傾き、体が直立から９０°以上傾くと収納物が飛び出し易いという問題点があった。【解決手段】  上着の胸部に設けるポケット１１ａは、ポケット下部１７ａを前方にスイング可能とする宙吊り状態に上着本体３０ａに取り付け、ポケット上部１６とポケット下部１７ａの境となる宙吊り部上端位置１９線を基点に体の主に前傾の大きさが大きくなる程、スイング角度２２が大きくなる構成にしてポケットの傾きを抑えるものにしている。【選択図】    図１
2008214802.tif 000002
【特許請求の範囲】
【請求項１】
衣類に設けられたポケットの内、上着の胸部外側に設けられる上方が開口したポケットで、そのポケット底辺から一定の高さ間のポケット下方部は宙吊り形状をなし、該宙吊り状態のポケット下方部を前後にスイング自在にする構造とした上着の胸ポケット。
【請求項２】
前記上着の胸ポケットは、上着本体側のポケット内壁と、その内壁に相対するポケット外壁からなり、前記ポケット内壁とポケット外壁の左右両端の高さ間の内、ポケット上部となるポケット上端から下方の一定の高さ間と、前記ポケット内壁の上端横幅間を上着本体に固着して取り付けた請求項１記載の上着の胸ポケット。
【請求項３】
前記ポケット内壁の上端高さは、前記ポケット外壁上端より低くい高さにした請求項２記載の上着の胸ポケット。
【発明の詳細な説明】
【技術分野】
【０００１】
本発明は、上着胸部外側に設けらる上方開口のポケットで、前傾姿勢などの体の傾きに対し前記ポケットの傾きを抑え、ポケットからの収納物の落下を防ぐ上着の胸ポケット（以下ポケットと言う）に関する。
【背景技術】
【０００２】
従来の上着外側の胸部に設けられるポケットは、出し入れの使い勝手を重視した上方のポケット口が常時開いた状態のポケット構造と、ポケット口の一部又は全部をボタンやホック掛け、又はマジックテープ（登録商標）やファスナー（登録商標）で塞ぎ、不規則な姿勢によるポケットからの収納物の飛び出しを防止する構造のものがある。
【０００３】
【特許文献１】実開平01-168525
【特許文献２】実開昭60-143701
【特許文献３】実開平01-002022
【特許文献４】実開昭58-068915
【特許文献５】実公昭39-005601
【特許文献６】実公昭39-010616
【特許文献７】実公昭36-021907
【特許文献８】特開2006-183224
【発明の開示】
【発明が解決しようとする課題】
【０００４】
以上に述べたポケットの内、収納物の出し入れを最も容易にしたポケット口が常時開放したポケットでは、ポケットの傾き具合により収納物が飛び出し易いという問題がある。また、ボタンやホック及びマジックテープ（登録商標）やファスナー（登録商標）などでポケット口を塞ぐ方法では、操作時に一定の面倒しさを伴うとともに、その塞ぎの構造体による見栄えを損う原因となっていた。
【０００５】
本発明は、このような従来の問題を解決しようとするものであり、最も使い勝手の便利な従来のポケット口をオープンにしたポケットで、前屈みなどの不規則な傾斜姿勢におけるポケットからの収納物の飛び出しを防ぐことを目的とするものである。
【課題を解決するための手段】
【０００６】
そして、本発明は上記目的を達成するために図１〜図４で示すごとく、上着本体に取り付けられるポケットの下方部を宙吊り状態とし、その宙吊り部を姿勢の傾斜により、前後にスイング可能とするポケットにしている。
【０００７】
前記ポケット構造は、上着本体側のポケット内壁と、その内壁に相対するポケット外壁又は前記ポケット内壁の上端高さを前記ポケット外壁上端高さより低くした形状からなり、前記ポケット内壁とポケット外壁の左右両端の高さ間の内、ポケット上端から下方の一定の高さ間と、ポケット内壁の上端横幅間を上着本体に固着して取り付け、前記ポケット横両端の取り付け下端より下方側のポケット下方部を宙吊り状態にしたポケット構造にしている。
【０００８】
上記課題解決手段による作用は次の通りである。本案のポケットに主に携帯電話機などの四角形状で一定の重い重さを持つ携帯端末を収納した図５で示す様に、収納物のポケット底からの重心３３の高さ位置がポケットの宙吊り部上端位置１９の高さより低い位置になる収納状態で図７で示す前傾姿勢にすると、ポケット内壁１５ｂの宙吊り部上端位置１９を支点に体３５の前傾角度２３ａの大きさの傾斜で、実質的には後述するポケットのスイングを容易にする上着本体３０ａにふくらみ代３１ａの大きさの変形を起しつつ、ポケットがスイング角度２２ａの大きさでスイングし、収納物に介接した直線状のポケット外壁１５ａの傾斜角度２４ａは、体の前傾角度２３ａよりスイング角度の分小さい傾き角度となる。
【０００９】
そして、図８で示す様に体３５の前傾角度２３ｂを９０°より大きな傾きとした場合、宙吊り部上端位置１９に図７で示す状態よりも収納物が水平状態に近い分更に大きな回転モーメント荷重がかかり、上着本体３０ａのふくらみ代３１ｂが大きなものとなりながら体３５の向きに対しポケットのスイング角度２２ｂが大きなものとなる。よって、そのスイング角度２２ｂが大きくなる分、体の前傾角度２３ｂよりポケット外壁１５ａの傾斜角度２４ｂは小さなものとなり、体の前傾角度が水平より大きな傾きとなっても収納物が飛び出しにくいポケットの傾きを形成することができる。
【００１０】
例えば図９で示す様に宙吊り部上端位置１９の高さより収納物の重心３３位置がポケット上方側に位置すると、スイング角度２２ｃを大きくする前記モーメント荷重が働かず体の傾斜角度２３ｂとポケット外壁の傾斜角度２４ｃが近いものとなり収納物が飛び出し易くなる。したがって、収納物の重心３３位置より宙吊り部上端位置１９がポケット底より高い位置にある程、体の傾きに対し大きなスイング角度が得やすいものとなる。
【００１１】
そして、図１０・図１１で示す従来のポケット１１ｂの作用を説明すると、ポケット下方部が上着本体３０ａに固着して取り付けられているため、体３５の前傾角度２３ｂとポケットの傾斜角度２４ｄが同一に近いものとなり、本案のスイングするポケットに比べ収納物３２が落下しやすいものとなっている。
【００１２】
また、図１２・図１３で示す主に背広などの上着の胸部に設けられる従来のポケットで、ポケットの大部分をなすポケット下方部が上着本体３０ｂの内側に宙吊り状態のポケット１１ｃは、その宙吊り部１８は体３５と上着本体３０ｂの間で、体の姿勢と略同一のポケット姿勢状態に常時保持されているので、一定の重さと表面のなめらかな携帯電話機等の携帯端末は、体の傾きと同一に近い傾きとなり、本案のポケット下方の宙吊り部を前方にスイングさせる構成とは異なるものであり、ポケットからの飛び出しを防ぐには不十分なものとなっている。
【発明の効果】
【００１３】
上述したように本発明の飛び出しを防止するポケットは、従来の上方開放のポケットの使い勝手と同一で、ポケットの外観形状を変えることなく体の前傾姿勢などの傾きに対し、ポケットの傾きを抑えポケットからの落下を防止する上着の胸ポケットを提供する。
【００１４】
ポケット下方部の宙吊り部が振子式にスイングする状態で、ポケットの宙吊り部上端位置より収納物（本案では主に落下による破損を最も恐れる携帯端末などの一定の重さを持つ物を想定している）の重心高さがポケット下方部側になるポケット形状にする程、ポケットのスイング時にポケット下方側に大きな負荷がかかり、ポケットが前方に容易にスイングしポケットの傾きを抑える効果を持つ、しかし、ポケットの高さに対し宙吊り部が大きすぎるとポケット自身の揺れの原因となる恐れが生じることとなる。したがって、収納物の重心高さに対し、宙吊り部上端位置が極端に高くならない程度のポケット形状にするのが最も効果的と思われる。
【００１５】
例えば、胸ポケットを左右に設け、一方を携帯端末や電卓などの重い物を収納し、もう一方は宙吊り部上端位置を収納物の重心位置よりかなり高い高さにすると、メガネや手帳などの軽い収納物でも容易にポケット下方部をスイングさせるとともに軽い収納物であるためポケットの揺れが少ないものとなり、２つのポケットの使い分けをする利点が生れる。
【発明を実施するための最良の形態】
【００１６】
以下、本発明の実施の形態を図１〜図９に基づいて説明する。
【００１７】
図１〜図４の内図１は、上着本体３０ａの胸部に設けられたポケット１１ａの斜傾図を示し、図２は図１の正面図を示し、図３は図２のポケット口の平面図を示し、図４は図２の縦断面を示している。
ポケット１１ａを形成する上着本体３０ａ側のポケット内壁１５ｂと、それに相対するポケット外壁１５ａからなる上方開口のポケットの内、そのポケットの左右両端の一定の高さ間を縫製２０ａにより上着本体３０ａに取り付けたポケット上部１６と、そのポケット上部に連設する宙吊り状態のポケット下部１７ａからなるポケット１１ａで、そのポケット下部１７ａの宙吊り部上端位置１９を基点に前方に任意のスイング角度２２でスイング自在にし、前記ポケット内壁１５ｂの上端高さをポケット外壁１５ａの上端高さより低い高さにして見栄の向上を図り、そのポケット内壁の上端を縫製２０ｂで上着本体に固着している。
【００１８】
図５・図６の内図５は、図１〜図４で示すポケット１１ａに収納物３２を収納した正面図と、図６は図５の縦断面を示し、ポケット下部１７ａのスイングの基点となる宙吊り部上端位置１９に対し、収納物の重心３３の高さ位置がポケット底側の低い位置となるポケット形状にしている。
【００１９】
図７は、図６の変形例を示し、図６のポケット状態で体３５を一定の前傾角度２３ａに前傾させると、ポケット１１ａ（実質的には収納物３２に介接したポケット外壁１５ａ面）がスイング角度２２ａの大きさでスイングし、体の前傾角度２３ａよりスイング角度の分小さなポケットの傾斜角度２４ａとなる。この時宙吊り部上端位置１９のポケット底からの高さより、収納物３２の重心３３の高さが低い位置にあるので、宙吊り部上端位置１９に高さの差による本図では右回転のモーメント荷重がかかり、上着本体３０ａがポケット側に引っ張られふくらみ代３１ａの大きさで変形しながらポケットがスイングすることとなる。
【００２０】
図８は、図７の変形例で体３５の前傾角度２３ｂを少なくとも９０°度より大きい状態にした場合で、収納物３２の姿勢が水平に近い程、上着本体３０ａを外側に引っ張る力が大きくなり、上着本体３０ａのふくらみ代３１ｂが大きくなりながら、宙吊り部上端位置１９に大きな回転モーメントがかかり、ポケット１１ａはスイング角度２２ｂの分小さなポケットの傾斜角度２４ｂとなり、ポケットから収納物３２が落下しにくいものとなっている。
【００２１】
図９は、図８で示す体３５の前傾角度２３ｂと同じ状態のポケットの傾斜の変形例で、ポケットに収納される収納物３２の重心３３のポケット底からの高さより、ポケット下部１７ｂの宙吊り部上端位置１９の高さを低い位置となるポケット形状にすると、宙吊り部上端位置に対し収納物の重心がポケット口側になるため、本図では左回転のモーメントが働きポケットのスイング角度２２ｃは小さなものとなり、収納物がポケットから落下しやすいものとなっている。したがって、宙吊り部上端位置は収納物の重心位置よりポケット底から高い位置にある程、ポケットのスイング角度は大きなものとなりポケットからの落下をより確実に防ぐものとなる。
【図面の簡単な説明】
【００２２】
【図１】本発明の実施の形態を示す斜傾図
【図２】本発明の実施の形態を示す正面図
【図３】図２のＸ１−Ｘ１線による矢視図
【図４】図２のＸ２−Ｘ２線による矢視図
【図５】本発明のポケットの構成と収納物の重心を示す正面図
【図６】図５のＸ３−Ｘ３線による矢視図
【図７】本発明のポケットの使用例を示す縦断面図
【図８】図７の変形例を示す図
【図９】図８の変形例を示す図
【図１０】従来のポケットの使用例を示す正面図
【図１１】図１０のＸ４−Ｘ４線の前傾した使用例を示す矢視図
【図１２】従来のポケットの使用例を示す正面図
【図１３】図１２のＸ５−Ｘ５線の前傾した使用例を示す矢視図
【符号の説明】
【００２３】
１１ａ：ポケット
１１ｂ：ポケット
１１ｃ：ポケット
１５ａ：ポケット外壁
１５ｂ：ポケット内壁
１６  ：ポケット上部
１７ａ：ポケット下部
１７ｂ：ポケット下部
１８  ：宙吊り部
１９  ：宙吊り部上端位置
２０ａ：縫製
２０ｂ：縫製
２２  ：スイング角度
２２ａ：スイング角度
２２ｂ：スイング角度
２２ｃ：スイング角度
２３ａ：前傾角度
２３ｂ：前傾角度
２４ａ：傾斜角度
２４ｂ：傾斜角度
２４ｃ：傾斜角度
２４ｄ：傾斜角度
３０ａ：上着本体
３０ｂ：上着本体
３１ａ：ふくらみ代
３１ｂ：ふくらみ代
３１ｃ：ふくらみ代
３２  ：収納物
３３  ：重心
３５  ：体
【図１】
2008214802.tif 000003
【図２】
2008214802.tif 000004
【図３】
2008214802.tif 000005
【図４】
2008214802.tif 000006
【図５】
2008214802.tif 000007
【図６】
2008214802.tif 000008
【図７】
2008214802.tif 000009
【図８】
2008214802.tif 000010
【図９】
2008214802.tif 000011
【図１０】
2008214802.tif 000012
【図１１】
2008214802.tif 000013
【図１２】
2008214802.tif 000014
【図１３】
2008214802.tif 000015